(57)【要約】【課題】金属板を成形して、平坦な前面部と、その前面部から凹む溝部を交互に複数形成する前面基部と、その一端に差込部を持ち、他端部に嵌合部と釘打部とを持つ長尺の建築用パネルの、壁面の隅角部及び幅方向において建築用部材を介して接続する建築用パネルの、意匠性と美観を向上した建築用部材と壁構造を得る。【解決手段】金属板を成形して、平坦な前面部と、その前面部から凹む溝部とを交互に複数形成する前面基部と、その一端に差込部を持ち、他端部に嵌合部と釘打部とを持つ長尺の建築用パネルを、壁面の幅方向において接続する建築用部材に関して、壁下地からの溝部の底面と、壁下地からほぼ同じ厚さ方向の距離を持つ接続面に重なる、接続機能を設けた建築用部材とする。【選択図】            図１
2004316401.tif 000002
【特許請求の範囲】
【請求項１】
金属板を成形して、平坦な前面部と、その前面部から凹む溝部とを交互に複数形成する前面基部と、その一端に差込部を持ち、他端部に嵌合部と釘打部とを持つ長尺の建築用パネルを、壁面の幅方向において接続する建築用部材に関して、壁下地からの溝部の底面と、壁下地からほぼ同じ厚さ方向の距離を持つ接続面に重なる、接続機能を設けたことを特徴とする建築用部材。
【請求項２】
壁下地からの建築用パネルの溝部の底面と、壁下地からほぼ同じ厚さ方向の距離を持つ接続面を持つ建築用部材と、その接続面に重なる接続機能を設けた建築用部材からなる請求項１記載の建築用部材。
【請求項３】
前記の接続面が建築用パネルの溝部を切断して、切り残した溝部の底面である、請求項１あるいは請求項２記載の建築用部材。
【請求項４】
壁下地からの、前記の建築用パネルの前面部と、壁下地からほぼ同じ厚さ方向の距離を持つ平坦部と、前記の接続面に重なる接続機能とを持つ、請求項１から請求項３記載の建築用部材。
【請求項５】
請求項１から請求項４記載の建築用部材を使用する壁構造。
【発明の詳細な説明】
【０００１】
【発明の属する技術分野】
この発明は、金属板を成形して、平坦な前面部と、その前面部から凹む溝部を交互に複数形成する前面基部と、その一端に差込部を持ち、他端部に嵌合部と釘打部とを持つ長尺の建築用パネルの、壁面の隅角部及び幅方向において建築用部材を介して接続する建築用パネルの、建築用部材と壁構造に関する。
【０００２】
【従来の技術】
従来、前面部と溝部を交互に複数形成する、長尺の金属板による建築用パネルは、壁面の隅角部において接続するために、金属板による比較的幅広の断面Ｌ字形の長尺部材を、左右の建築用パネルの前面部に渡して、釘止め等により固定する技術が知られている。
【０００３】
【発明が解決しようとする課題】
従来の、Ｌ字形の長尺部材による接続技術には、次の問題がある。
ａ．建築用パネルの差込部や嵌合部を、その間に挟むため、比較的幅広になるため、建築用パネルの縦縞意匠のピッチに合わず、意匠上の美観を損ない、
ｂ．雨仕舞を確保するために、左右の建築用パネルの前面部に釘止めするため、釘が目立ち美観を損なう。
【０００４】
【課題を解決するための手段】
この発明による建築用部材は、金属板を成形して、平坦な前面部と、その前面部から凹む溝部とを交互に複数形成する前面基部と、その一端に差込部を持ち、他端部に嵌合部と釘打部とを持つ長尺の建築用パネルを、壁面の幅方向において接続する建築用部材に関して、壁下地からの溝部の底面と、壁下地からほぼ同じ厚さ方向の距離を持つ接続面に重なる、接続機能を設けた建築用部材とする。
【０００５】
【発明の実施の形態】
Ａ．この発明による金属板は、
ａ．次に代表される塗装金属板や、
イ．塗装亜鉛メッキ鋼板
ロ．塗装アルミニウム亜鉛合金メッキ鋼板
ハ．塗装ステンレス鋼板
ニ．塗装銅板
ホ．塗装アルミニウム合金板
ヘ．合成樹脂シート張り合わせ金属板
ト．塗装チタン・ニッケル合金板
チ．その他の塗装合金鋼等
ｂ．次に代表される無塗装金属板、
イ．亜鉛メッキ鋼板
ロ．アルミニウム亜鉛合金メッキ鋼板
ハ．ステンレス鋼板
ニ．銅板
ホ．アルミニウム合金板等
ヘ．チタン・ニッケル合金板
ト．その他の合金鋼等
ｃ．それらの金属板に深いエンボス加工を加えた金属板、
【０００６】
Ｂ．この発明に使用される釘打ち等の固定手段は、
ａ．次に代表される、固定用具を使用する。
イ．釘
ロ．タッピングビス
ハ．ホッチキス
ニ．木ネジ
ホ．ポップリベット等
【０００７】
Ｃ．この発明に使用される裏打材は、
ａ．次に代表される発泡性樹脂による発泡合成樹脂に、
イ．硬質発泡ウレタン樹脂
ロ．硬質発泡ヌレート樹脂
ハ．発泡フェノール樹脂
ニ．発泡スチレン樹脂等
ｂ．次に代表される裏面紙を積層している。
イ．はり合わせアルミニウム箔
ロ．スチールペーパー
ハ．ポリエチコートクラフト紙
ニ．アルミ蒸着紙
ホ．合成樹脂シート等
【０００８】
【実施例】
発明の実施例について、次の、実施例１、実施例２、実施例３、実施例４、及び実施例５により、図面を参照して説明する。
【０００９】
実施例１
図１，図２，図３，図４，図５，図６，図７，及び図８は、この発明の実施例１を示すものである。
【００１０】
Ａ．図３及び図４に示す、この発明の実施例１においての建築用パネル１は、
ａ．金属板５による長尺の表面材１ａを成形して、
イ．ほぼ平坦で細長い前面部１ｃと、
ロ．その幅で裏面側にコの字形に折り曲げた、次の様な溝部１ｄとを、
○その溝部１ｄは、両側を溝側面１ｅとし、その底部を溝底面１ｆとし、
ハ．交互に複数構成し、その両側に前面部１ｃを設けた前面基部１ｂとし、
ｂ．その前面基部１ｂの一側端を、
イ．裏面側にＬ字形に折り曲げて、差込側面１ｈを形成し、
ロ．その差込側面１ｈをＬ字形に表面側に折り曲げて、前面部１ｃからの距離が、前記の溝底面１ｆとほぼ同じ距離に、差込底面１ｉを形成し、
ハ．その差込底面１ｉを略Ｕ字形に裏面側に折り返し、さらに、Ｕ字形に表面側に折り返して、その先端を裏面側に折り狭めた差込片１ｊを持つ、差込部１ｇを形成し、
ｃ．また、その前面基部１ｂの他側端を、
イ．裏面側にＬ字形に折り曲げて、嵌合側面１ｌを形成し、
ロ．その嵌合側面１ｌをＬ字形に表面側に折り曲げて、嵌合底面１ｍを形成し、
ハ．その嵌合底面１ｍを略Ｕ字形に裏面側に折り返し、さらに、Ｕ字形に表面側に折り返して嵌合溝１ｎを形成し、
ニ．その嵌合溝１ｎの先端を表面側に折り狭めた釘打片１ｏを持つ、釘打部１ｋを形成し、
ｄ．そして、その成形した表面材１ａの裏面側に、
イ．差込底面１ｉと嵌合底面１ｍとからの、それぞれの折り返し溝に、裏面紙７の両側端を挿入し、
ロ．その裏面紙７により覆われた発泡合成樹脂６による、裏打材１ｐを形成している。
【００１１】
Ｂ．図５に示す、実施例１においての、隅角部材２である出隅部材２ａは、
ａ．長尺の金属板５を成形して、
イ．裏面側にＬ字形に折り曲げられた、出隅面２ｂを形成し、
ｂ．その出隅面２ｂの一側端を、
イ．裏面側にＬ字形に折り曲げて、連係側２ｅを形成し、
ロ．その連係側２ｅをＬ字形に表面側に折り曲げて、連係底２ｆを形成し、
○その連係底２ｆの出隅面２ｂからの距離が、前記の建築用パネル１においての前面部１ｃから溝底面１ｆとほぼ同じ距離に位置し、
ハ．その連係底２ｆをクランク状に裏面側に折り曲げて、先端を表面側に折り狭めた連係脚２ｇを形成し、
ｃ．また、その出隅面２ｂの他側端を、
イ．裏面側にＬ字形に折り曲げて、連結側２ｈを形成し、
ロ．その連結側２ｈをＬ字形に表面側に折り曲げて、さらに、略Ｕ字形に裏面側に折り返した連結溝板２ｊを形成し、
ハ．さらに、Ｕ字形に表面側に折り返して連結溝２ｉを形成し、
ニ．さらに延長して、その先端を表面側に折り狭めた連結脚２ｋを形成する。
【００１２】
Ｃ．図６に示す、実施例１においての、調整用部材３の調整覆３ａは、
ａ．長尺の金属板５を成形して、
イ．前記の建築用パネル１の前面部１ｃと、ほぼ同一幅の平坦で細長い調整面３ｂを形成し、
ｂ．その調整面３ｂの一側端を、
イ．裏面側にＬ字形に折り曲げて、調整側３ｃを形成し、
ロ．その調整側３ｃを表面側に折り合わせて、次の構成の複数で断続する切起突起３ｅを持つ、挿入片３ｄを形成し、
○切起突起３ｅは金属板５を、
○船底を挿入片３ｄの折り合わせ側に向けて、ほぼ半裁の船形に挿入片３ｄの両側に交互に突起させ、
○船縁側が切断され、金属板５のほぼ２枚分程度の段差を形成し、
ハ．前記の挿入片３ｄを、さらに、裏面側にＬ字形に折り曲げて、その先端をくの字形に裏面側に折り曲げた調整片３ｆを形成し、
ｃ．前記の調整面３ｂの他側端を、
イ．裏面側にＬ字形に折り曲げて、調整側３ｃを形成し、
ロ．その調整側３ｃを、調整面３ｂからの距離が、前記の調整片３ｆとほぼ同じ位置において、表面側にＬ字形に折り曲げて、その先端をくの字形に裏面側に折り曲げた調整片３ｆを形成する。
【００１３】
Ｄ．図７に示す、実施例１においての、調整用部材３の調整受３ｈは、
ａ．長尺の金属板５を成形して、
イ．ほぼ矩形の断面を持ち、その一辺の中程が裏面側にＬ字形に折れ曲がって開口する、挿入溝３ｉを形成し、
ロ．その挿入溝３ｉの両先端を、コの字形に裏面側に折り曲げて、挿入溝３ｉの底部より裏面側方において、Ｌ字形に表面側に折り曲げて、挿入溝板３ｊを形成し、
ハ．その挿入溝板３ｊを表面側に次のように折り曲げて、
○裏面側に開口する浅いコの字形に折れ曲がり、さらに延長した先端を表面側に折り狭めた、固定片３ｋを形成する。
【００１４】
Ｅ．図１，図２，及び図８に示す、建築用パネル１と他の建築用パネル１との出隅部８ｃにおいての、この発明の実施例１は、次の様に施工する。
ａ．壁下地８の出隅部８ｃにおいての柱８ａの左右の面に、
イ．ほぼ水平に胴縁８ｂを複数取り付けて、
ロ．前記の出隅部材２ａの連係脚２ｇと連結脚２ｋとを合わせて、それらを取り付けた胴縁８ｂに、釘９により固定し、
ｂ．その出隅部材２ａに、前記の建築用パネル１を、次のように施工し、
イ．出隅部材２ａの連結溝２ｉに、建築用パネル１の差込片１ｊを差し込み、
ロ．その建築用パネル１の釘打片１ｏを、前記の胴縁８ｂに釘９により固定し、
ｃ．その固定した建築用パネル１に、他の建築用パネル１を、次のように連続施工し、
イ．その固定した建築用パネル１の嵌合溝１ｎに、他の建築用パネル１の差込片１ｊを差し込み、
ロ．その建築用パネル１の釘打片１ｏを、前記の胴縁８ｂに釘９により固定し、
ハ．前記を繰り返して壁下地８に複数の建築用パネル１を施工し、
ｄ．また、前記の出隅部材２ａの連係脚２ｇ側の壁面も、
イ．上記の様に建築用パネル１を施工し、その未施工面が建築用パネル１の施工ピッチ以下になったとき、
ロ．その未施工面の幅に合わせて、建築用パネル１の溝底面１ｆを長手方向に切断し、
ハ．その切断した建築用パネル１の差込片１ｊを、施工済みの建築用パネル１の嵌合溝１ｎに、差し込み、その切り残した溝底面１ｆを釘９により固定し、
ｅ．次に、その切断した建築用パネル１と、出隅部材２ａとの間に調整受３ｈを、その固定片３ｋを釘９により固定し、
ｆ．そして、その調整受３ｈに調整覆３ａを次のように施工し、
イ．調整受３ｈの挿入溝３ｉに、調整覆３ａの挿入片３ｄを差し込み、
ロ．調整受３ｈの挿入溝板３ｊにより、調整覆３ａの切起突起３ｅを挟み引っ掛けて、調整覆３ａを固定し、
ハ．調整覆３ａの調整片３ｆを、前記の出隅部材２ａの連係底２ｆと、建築用パネル１の切り残した溝底面１ｆに重ねて、
ニ．調整覆３ａにより、切断した建築用パネル１と、出隅部材２ａとの間の次の部分を覆い隠し、
○切断した建築用パネル１の切断面と、切り残した溝底面１ｆを固定した釘９の頭と、
○出隅部材２ａの連係底２ｆと連係脚２ｇと、それらを固定した釘９の頭と、
○調整受３ｈと、それを固定した釘９の頭と、
ニ．壁面の美観と雨仕舞が向上する。
【００１５】
実施例２
図３，図４，図８，図９，図１０，図１１，及び図１２は、この発明の実施例２を示すものである。
【００１６】
Ａ．図３及び図４に示す、この発明の実施例２においての建築用パネル１は、実施例１と同じものである。
【００１７】
Ｂ．図１１に示す、実施例２においての、隅角部材２である出隅部材２ａは、
ａ．長尺の金属板５を成形して、
イ．裏面側にＬ字形に折り曲げられた、不等辺の出隅面２ｂを形成し、
ｂ．その出隅面２ｂの両側端を折り曲げて、
イ．裏面側にＬ字形に折り曲げて、連係側２ｅを形成し、
ロ．その連係側２ｅをＬ字形に表面側に折り曲げて、連係底２ｆを形成し、
ｃ．その連係底２ｆを裏面側に折り曲げて、次の様な、連係溝２１を形成し、
イ．その連係溝２１は、ほぼ矩形の断面を持ち、その一辺の中程が裏面側にＬ字形に折れ曲がって開口し、
ロ．その連係溝２１の両先端を、Ｌ字形に裏面側に折り曲げて、
○一端は前記の連係底２ｆにつながり、
○他端は、さらに、Ｌ字形に裏面側に折れ曲がった、連係溝板２ｍを形成し、
ハ．その連係溝板２ｍを、連係溝２１の底部より裏面側方において、Ｌ字形に表面側に折り曲げて、その先端を表面側に折り狭めた連係脚２ｇを形成する。
【００１８】
Ｃ．図１２に示す、実施例２においての、調整用部材３の調整覆３ａは、
ａ．長尺の金属板５を成形して、
イ．ほぼ平坦で、両側縁をくの字形に裏面側に折り曲げた、細長い調整面３ｂを形成し、
ｂ．その調整面３ｂの両側端を、裏面側に折り合わせて、
イ．その調整面３ｂにそって延長して、調整面３ｂとからなる調整片３ｆを形成し、
ロ．その調整面３ｂの、ほぼ中央において、その両端の調整片３ｆを表面側にＬ字形に折曲げ合わせて、次の構成の複数で断続する切起突起３ｅを持つ、挿入片３ｄを形成し、
○切起突起３ｅは金属板５を、
○船底を挿入片３ｄの折り合わせ側に向けて、ほぼ半裁の船形に挿入片３ｄの両側に交互に突起させ、
○船縁側が切断され、金属板５のほぼ２枚分程度の段差を形成する。
【００１９】
Ｄ．図８，図９，及び図１０に示す、建築用パネル１と他の建築用パネル１との出隅部８ｃにおいての、この発明の実施例２は、次の様に施工する。
ａ．壁下地８の出隅部８ｃにおいての柱８ａの左右の面に、
イ．ほぼ水平に胴縁８ｂを複数取り付けて、
ロ．前記の出隅部材２ａの連係脚２ｇを合わせて、それらを取り付けた胴縁８ｂに、釘９により固定し、
ｂ．その出隅部材２ａ一方の連係側２ｅ側に、前記の建築用パネル１を、次のように施工し、
イ．建築用パネル１の差込部１ｇ側の溝底面１ｆを長手方向に切断し、
ロ．その切り残した溝底面１ｆの、裏打材１ｐの裏面を所定幅で、切り欠くか押しつぶして凹まし、
ハ．出隅部材２ａの連係側２ｅに、建築用パネル１の切り残した溝底面１ｆを沿わして、その切り残した溝底面１ｆを釘９により固定し、
ニ．その建築用パネル１の釘打片１ｏを、釘９により固定し、
ｃ．その固定した建築用パネル１に、他の建築用パネル１を、次のように連続施工し、
イ．その固定した建築用パネル１の嵌合溝１ｎに、他の建築用パネル１の差込片１ｊを差し込み、
ロ．その建築用パネル１の釘打片１ｏを、前記の胴縁８ｂに釘９により固定し、
ハ．前記を繰り返して壁下地８に複数の建築用パネル１を施工し、
ｄ．また、前記の出隅部材２ａ他方の連係側２ｅ側の壁面も、
イ．上記の様に建築用パネル１を施工し、その未施工面が建築用パネル１の施工ピッチ以下になったとき、
ロ．その未施工面の幅に合わせて、建築用パネル１の溝底面１ｆを長手方向に切断し、
ハ．その切り残した溝底面１ｆの、裏打材１ｐの裏面を所定幅で、切り欠くか押しつぶして凹まし、
ニ．その切断した建築用パネル１の差込片１ｊを、施工済みの建築用パネル１の嵌合溝１ｎに、差し込み、その切り残した溝底面１ｆを釘９により固定し、
ｅ．そして、その出隅部材２ａに調整覆３ａを次のように施工し、
イ．出隅部材２ａの連係溝２１に、調整覆３ａの挿入片３ｄを差し込み、
ロ．出隅部材２ａの連係溝板２ｍにより、調整覆３ａの切起突起３ｅを挟み引っ掛けて、調整覆３ａを固定し、
ハ．調整覆３ａの調整片３ｆを、前記の出隅部材２ａの連係底２ｆと、建築用パネル１の切り残した溝底面１ｆに重ねて、
ニ．調整覆３ａにより、切断した建築用パネル１と、出隅部材２ａとの間の次の部分を覆い隠し、
○切断した建築用パネル１の切断面と、切り残した溝底面１ｆを固定した釘９の頭と、
○出隅部材２ａの連係底２ｆと連係脚２ｇと、
ニ．壁面の美観と雨仕舞が向上する。
【００２０】
実施例３
図１３，図１４，図１５，図１６，図１７，図１８，及び図１９は、この発明の実施例３を示すものである。
【００２１】
Ａ．図１５及び図１６に示す、この発明の実施例３においての建築用パネル１は、
ａ．金属板５による長尺の表面材１ａを成形して、
イ．ほぼ平坦で細長い前面部１ｃと、
ロ．その幅の底面で裏面側にくの字形に折り曲げた、次の様な溝部１ｄとを、
○その溝部１ｄは、両側を溝側面１ｅとし、その底部を溝底面１ｆとし、
ハ．交互に複数構成し、その両側に前面部１ｃを設けた前面基部１ｂとし、
ｂ．その前面基部１ｂの一側端を、
イ．裏面側にくの字形に折り曲げて、差込側面１ｈを形成し、
ロ．その差込側面１ｈをくの字形に表面側に折り曲げて、前面部１ｃからの距離が、前記の溝底面１ｆとほぼ同じ距離に、差込底面１ｉを形成し、
ハ．その差込底面１ｉを略Ｕ字形に裏面側に折り返し、さらに、Ｕ字形に表面側に折り返して、その先端を裏面側に折り狭めた差込片１ｊを持つ、差込部１ｇを形成し、
ｃ．また、その前面基部１ｂの他側端を、
イ．裏面側にくの字形に折り曲げ、さらに裏面側にくの字形に折り曲げて、嵌合側面１ｌを形成し、
ロ．その嵌合側面１ｌをＬ字形に表面側に折り曲げて、嵌合底面１ｍを形成し、
ハ．その嵌合底面１ｍを略Ｕ字形に裏面側に折り返し、さらに、Ｕ字形に表面側に折り返して、嵌合溝１ｎを形成し、
ニ．その嵌合溝１ｎの先端を表面側に折り狭めた釘打片１ｏを持つ、釘打部１ｋを形成し、
ｄ．そして、その成形した表面材１ａの裏面側に、
イ．差込底面１ｉと嵌合底面１ｍとからの、それぞれの折り返し溝に、裏面紙７の両側端を挿入し、
ロ．その裏面紙７により覆われた発泡合成樹脂６による、裏打材１ｐを形成している。
【００２２】
Ｂ．図１７に示す、実施例３においての、隅角部材２である出隅部材２ａは、
ａ．長尺の金属板５を成形して、
イ．裏面側にＬ字形に折り曲げられた、出隅面２ｂを形成し、
ｂ．その出隅面２ｂの一側端を、
イ．裏面側にくの字形に折り曲げて、連係側２ｅを形成し、
ロ．その連係側２ｅをくの字形に表面側に折り曲げて、連係底２ｆを形成し、
○その連係底２ｆの出隅面２ｂからの距離が、前記の建築用パネル１においての前面部１ｃから溝底面１ｆとほぼ同じ距離に位置し、
ハ．その連係底２ｆをクランク状に裏面側に折り曲げて、先端を表面側に折り狭めた連係脚２ｇを形成し、
ニ．また、その連係底２ｆの裏面に発泡合成樹脂による、断面矩形の長尺の連係裏打２ｎを貼り付けてあり、
ｃ．また、その出隅面２ｂの他側端を、
イ．裏面側にくの字形に折り曲げ、さらに裏面側にくの字形に折り曲げて、連結側２ｈを形成し、
ロ．その連結側２ｈをＬ字形に表面側に折り曲げて、さらに、略Ｕ字形に裏面側に折り返した連結溝板２ｊを形成し、
ハ．さらに、Ｕ字形に表面側に折り返して連結溝２ｉを形成し、
ニ．その連結溝２ｉの先端を表面側に折り狭めた連結脚２ｋを形成する。
【００２３】
Ｃ．図１８に示す、実施例３においての、調整用部材３の調整覆３ａは、
ａ．長尺の金属板５を成形して、
イ．前記の建築用パネル１の前面部１ｃと、ほぼ同一幅の平坦で細長い調整面３ｂを形成し、
ｂ．その調整面３ｂの両側端を、
イ．裏面側にくの字形に折り曲げて、調整側３ｃを形成し、
ロ．その調整側３ｃを表面側にくの字形に折り曲げて、調整片３ｆを形成する。
【００２４】
Ｅ．図１３，図１４，及び図１９に示す、建築用パネル１と他の建築用パネル１との出隅部８ｃにおいての、この発明の実施例３は、次の様に施工する。
ａ．壁下地８の出隅部８ｃにおいての柱８ａの左右の面に、
イ．ほぼ水平に胴縁８ｂを複数取り付けて、
ロ．前記の出隅部材２ａの連係脚２ｇと連結脚２ｋとを合わせて、それらを取り付けた胴縁８ｂに、釘９により固定し、
ｂ．その出隅部材２ａに、前記の建築用パネル１を、次のように施工し、
イ．出隅部材２ａの連結溝２ｉに、建築用パネル１の差込片１ｊを差し込み、
ロ．その建築用パネル１の釘打片１ｏを、前記の胴縁８ｂに釘９により固定し、
ｃ．その固定した建築用パネル１に、他の建築用パネル１を、次のように連続施工し、
イ．その固定した建築用パネル１の嵌合溝１ｎに、他の建築用パネル１の差込片１ｊを差し込み、
ロ．その建築用パネル１の釘打片１ｏを、前記の胴縁８ｂに釘９により固定し、
ハ．前記を繰り返して壁下地８に複数の建築用パネル１を施工し、
ｄ．また、前記の出隅部材２ａの連係脚２ｇ側の壁面も、
イ．上記の様に建築用パネル１を施工し、その未施工面が建築用パネル１の施工ピッチ以下になったとき、
ロ．その未施工面の幅に合わせて、建築用パネル１の溝底面１ｆを長手方向に切断し、
ハ．出隅部材２ａの連係底２ｆに、前記の調整覆３ａの調整片３ｆを重ねて、その調整片３ｆを釘９により固定し、
ニ．次に、前記の切断した建築用パネル１を次の様に、施工済みの建築用パネル１に差し込み、
○切断した建築用パネル１の切り残した溝底面１ｆを、固定した調整覆３ａの調整片３ｆと壁下地８との間に差し込み、
○次に、その切断した建築用パネル１の差込片１ｊを、施工済みの建築用パネル１の嵌合溝１ｎに差し込み、
ホ．次に、その切り残した溝底面１ｆに、固定した調整覆３ａの調整片３ｆを重ねて、その調整片３ｆを釘９により固定し、
ヘ．調整覆３ａにより、切断した建築用パネル１と、出隅部材２ａとの間の次の部分を覆い隠し、
○切断した建築用パネル１の切り残した溝底面１ｆと、
○出隅部材２ａの連係底２ｆと連係脚２ｇと、それらを固定した釘９の頭と、
ト．壁面の美観と雨仕舞が向上する。
【００２５】
実施例４
図１５，図１６，図１９，図２０，図２１，及び図２２は、この発明の実施例４を示すものである。
【００２６】
Ａ．図１５及び図１６に示す、この発明の実施例４においての建築用パネル１は、実施例３と同じものである。
【００２７】
Ｂ．図２２に示す、実施例４においての、隅角部材２である入隅部材２ｃは、
ａ．長尺の金属板５を成形して、
イ．表面側にＬ字形に折り曲げられた、不等辺の入隅面２ｄを形成し、
ｂ．その入隅面２ｄの両側端を折り曲げて、
イ．裏面側にくの字形に折り曲げて、連係側２ｅを形成し、
ロ．その連係側２ｅをくの字形に表面側に折り曲げて、連係底２ｆを形成する。
【００２８】
Ｃ．図１９，図２０，及び図２１に示す、建築用パネル１と他の建築用パネル１との入隅部８ｄにおいての、この発明の実施例１は、次の様に施工する。
ａ．壁下地８の入隅部８ｄにおいての柱８ａの左右の面に、
イ．下地間柱８ｅを取り付けて、
ロ．ほぼ水平に胴縁８ｂを複数取り付けて、
ｂ．その入隅部８ｄに、前記の建築用パネル１を、次のように施工し、
イ．建築用パネル１の差込部１ｇ側の溝底面１ｆを長手方向に切断し、
ロ．その切り残した溝底面１ｆを、入隅部８ｄの所定位置に設置し、
ハ．その切り残した溝底面１ｆに、入隅部材２ｃの連係底２ｆを重ねて、その連係底２ｆを  前記の胴縁８ｂに釘９により固定し、
ニ．その建築用パネル１の釘打片１ｏを、前記の胴縁８ｂに釘９により固定し、
ｃ．その固定した建築用パネル１に、他の建築用パネル１を、次のように連続施工し、
イ．その固定した建築用パネル１の嵌合溝１ｎに、他の建築用パネル１の差込片１ｊを差し込み、
ロ．その建築用パネル１の釘打片１ｏを、前記の胴縁８ｂに釘９により固定し、
ハ．前記を繰り返して壁下地８に複数の建築用パネル１を施工し、
ｄ．また、前記の入隅部材２ｃの他の連係底２ｆ側の壁面も、
イ．上記の様に建築用パネル１を施工し、その未施工面が建築用パネル１の施工ピッチ以下になったとき、
ロ．その未施工面の幅に合わせて、建築用パネル１の溝底面１ｆを長手方向に切断し、
ハ．次に、その切断した建築用パネル１を次の様に、施工済みの建築用パネル１に差し込み、
○切断した建築用パネル１の切り残した溝底面１ｆを、固定した入隅部材２ｃの連係底２ｆと壁下地８との間に差し込み、
○次に、その切断した建築用パネル１の差込片１ｊを、施工済みの建築用パネル１の嵌合溝１ｎに差し込み、
ホ．次に、その切り残した溝底面１ｆに、固定した入隅部材２ｃの連係底２ｆを重ねて、その連係底２ｆを釘９により固定し、
ヘ．入隅部材２ｃにより、切断した建築用パネル１と、他の切断した建築用パネル１との間の次の部分を覆い隠し、
○切断した建築用パネル１の切り残した溝底面１ｆと、
○壁下地８の入隅部８ｄと、
ト．壁面の美観と雨仕舞が向上する。
【００２９】
実施例５
図２３，図２４，図２５，図２６，図２７，図２８，図２９，図３０，及び図３１は、この発明の実施例５を示すものである。
【００３０】
Ａ．図２５及び図２６に示す、この発明の実施例５においての建築用パネル１は
ａ．金属板５による長尺の表面材１ａを成形して、
イ．ほぼ平坦で細長い前面部１ｃと、
ロ．その幅の底面で裏面側にくの字形に折り曲げた、次の様な溝部１ｄとを、
○その溝部１ｄは、Ｖ字形を呈し、両側を溝側面１ｅとし、
ハ．交互に複数構成し、その両側に前面部１ｃを設けた前面基部１ｂとし、
ｂ．その前面基部１ｂの一側端を、
イ．裏面側にくの字形に折り曲げ、さらに、裏面側にくの字形に折り曲げて差込側面１ｈを形成し、
ロ．その差込側面１ｈをＬ字形に裏面側に折り曲げて、さらに略Ｕ字形に表面側に折り曲げて、さらに、その先端を裏面側に折り狭めた差込片１ｊを持つ、差込部１ｇを形成し、
ｃ．また、その前面基部１ｂの他側端を、
イ．裏面側にくの字形に折り曲げ、さらに裏面側にくの字形に折り曲げて、嵌合側面１ｌを形成し、
ロ．その嵌合側面１ｌをＬ字形に表面側に折り曲げて、嵌合底面１ｍを形成し、
ハ．その嵌合底面１ｍを略Ｕ字形に裏面側に折り返し、さらに、Ｕ字形に表面側に折り返して嵌合溝１ｎを形成し、
ニ．その嵌合溝１ｎの先端を表面側に折り狭めた釘打片１ｏを持つ、釘打部１ｋを形成し、
ｄ．そして、その成形した表面材１ａの裏面側に、
イ．差込側面１ｈと嵌合底面１ｍとからの、それぞれの折り返し溝に、裏面紙７の両側端を挿入し、
ロ．その裏面紙７により覆われた発泡合成樹脂６による、裏打材１ｐを形成している。
【００３１】
Ｂ．図２７に示す、実施例５においての、隅角部材２である出隅部材２ａは、
ａ．長尺の金属板５を成形して、
イ．その中央を折り返して、次のような嵌入突起２ｐを持つ、嵌入片２ｏを形成し、
○嵌入突起２ｐは金属板５を、
○船底を嵌入片２ｏの折り合わせ側に向けて、ほぼ半裁の船形に嵌入片２ｏの両側に交互に突起させ、
○船縁側が切断され、金属板５のほぼ２枚分程度の段差を形成する。
ｂ．その嵌入片２ｏをＴ字形に左右に折り曲げ広げて、出隅面２ｂを形成し、
イ．その出隅面２ｂをくの字形に２回裏面側に折り曲げて、その先端を裏面側に折り狭めた、連係側２ｅを形成する。
【００３２】
Ｃ．図２８に示す、実施例５においての、出隅受２ｑは、
ａ．長尺の金属板５を成形して、
イ．ほぼ矩形の断面を持ち、その一辺の中程が裏面側にＬ字形に折れ曲がって開口する、嵌入溝２ｒを形成し、
ロ．その嵌入溝２ｒの両先端を、コの字形に裏面側に折り曲げて、嵌入溝板２ｓを形成し、
ハ．その嵌入溝板２ｓを、嵌入溝２ｒの底部より裏面側方において、くの字形に表面側に折り曲げて、先端を表面側に折り狭めた、釘打板２ｔを形成する。
【００３３】
Ｄ．図２９に示す、実施例５においての、スタート材４は、
ａ．長尺の金属板５を成形して、
イ．ほぼ平坦で細長い、開始面４ａを形成し、
ｂ．その開始面４ａの一側端を、
イ．裏面側にくの字形に折り曲げて、開連係側４ｂを形成し、
ロ．その開連係側４ｂをくの字形に表面側に折り曲げて、開連係底４ｃを形成し、
○その開連係底４ｃの開始面４ａからの距離が、前記の建築用パネル１においての前面部１ｃから溝部１ｄの底面とほぼ同じ距離に位置し、
ハ．その開連係底４ｃをクランク状に裏面側に折り曲げて、その先端を裏面側に折り狭めた、開連係脚４ｄを形成し、
ｃ．また、その開始面４ａの他側端を、
イ．裏面側にくの字形に折り曲げ、さらに裏面側にくの字形に折り曲げて、開連結側４ｅを形成し、
ロ．その開連結側４ｅをＬ字形に表面側に折り曲げて、さらに、略Ｕ字形に裏面側に折り返した、開連結溝板４ｇを形成し、
ハ．さらに、Ｕ字形に表面側に折り返して、開連結溝４ｆを形成し、
ニ．その開連結溝４ｆを延長し、その先端を表面側に折り狭めた、開連結脚４ｈを形成する。
【００３４】
Ｅ．図３０に示す、実施例５においての、調整部材３は、
ａ．長尺の金属板５を成形して、
イ．ほぼ平坦で細長く、その一側端をわずかに裏面側にくの字形に折り曲げた、調整面３ｂを形成し、
ｂ．その調整面３ｂの他側端を、
イ．裏面側にくの字形に折り曲げて、調整側３ｃを形成し、
ロ．その調整側３ｃをくの字形に表面側に折り曲げて、調整底３ｇを形成し、
○その調整底３ｇの調整面３ｂからの距離が、前記の建築用パネル１においての前面部１ｃから溝部１ｄの底面とほぼ同じ距離に位置し、
ハ．その調整底３ｇをクランク状に裏面側に折り曲げて、先端を裏面側に折り狭めた、固定片３ｋを形成する。
【００３５】
Ｆ．図２３，図２４，及び図３１に示す、建築用パネル１と他の建築用パネル１との出隅部８ｃにおいての、この発明の実施例５は、次の様に施工する。
ａ．壁下地８の出隅部８ｃにおいての柱８ａの左右の面に、
イ．ほぼ水平に胴縁８ｂを複数取り付けて、
ロ．前記の出隅受２ｑの釘打板２ｔを合わせて、それらを取り付けた胴縁８ｂに、釘９により固定し、
ｂ．その出隅受２ｑの一側端に、前記のスタート材４を釘次のように固定し、
イ．出隅受２ｑの一側端の釘打板２ｔに、スタート材４の開連係脚４ｄを合わせて、その開連係脚４を釘９により固定し、
ｃ．そのスタート材４に建築用パネル１を、次のように施工し、
イ．スタート材４の開連結溝４ｆに、建築用パネル１の差込片１ｊを差し込み、
ロ．その建築用パネル１の釘打片１ｏを、前記の胴縁８ｂに釘９により固定し、
ｄ．その固定した建築用パネル１に、他の建築用パネル１を、次のように連続施工し、
イ．その固定した建築用パネル１の嵌合溝１ｎに、他の建築用パネル１の差込片１ｊを差し込み、
ロ．その建築用パネル１の釘打片１ｏを、前記の胴縁８ｂに釘９により固定し、
ハ．前記を繰り返して壁下地８に複数の建築用パネル１を施工し、
ｅ．また、出隅受２ｑの他側端の壁面も、
イ．上記の様に建築用パネル１を施工し、その未施工面が建築用パネル１の施工ピッチ以下になったとき、
ロ．その未施工面の幅に合わせて、建築用パネル１を次の様に切断し、
○建築用パネル１の前面部１ｃから釘打部１ｋ側に傾斜する、溝側面１ｅを長手方向に切断し、
ハ．次に、前記の切断した建築用パネル１を次の様に、施工済みの建築用パネル１に差し込み、
○切断した建築用パネル１の差込片１ｊを、施工済みの建築用パネル１の嵌合溝１ｎに差し込み、
○切断した建築用パネル１の前面部１ｃを釘９により固定し、
ニ．前記の固定した出隅受２ｑの他側端の釘打板２ｔに、前記の調整部材３の固定片３ｋを乗せて、その固定片３ｋを釘９により固定し、
○その調整面３ｂにより、切断した建築用パネル１の前面部１ｃの釘９と、
○切断した建築用パネル１の、切り残した溝側面１ｅとを覆い隠し、
ホ．次に、その出隅受２ｑの嵌入溝２ｒに、出隅部材２ａの嵌入片２ｏを差し込み、
ヘ．出隅受２ｑの嵌入溝板２ｓにより、嵌入片２ｏの嵌入突起２ｐを挟み引っ掛けて、出隅部材２ａを固定し、
ト．出隅部材２ａの連係側２ｅを、前記のスタート部材４の開連係底４ｃと、前記の調整部材３の調整底３ｇに重ねて、
チ．出隅部材２ａにより、スタート材４と調整部材３との間の次の部分を覆い隠し、
○スタート材４の開連係底４ｃと開連係脚４ｄと、それらを固定した釘９の頭と
○調整部材３の調整底３ｇと固定片３ｋと、それらを固定した釘９の頭と、
チ．壁面の美観と雨仕舞が向上する。
【００３６】
【発明の効果】
上記のような、この発明による建築用パネルには、次の様な効果がある。
【００３７】
Ａ．壁下地からの溝部の底面と、壁下地からほぼ同じ厚さ方向の距離を持つ接続面に重なる、接続機能を設けた建築用部材とする事により、
ａ．接続面が建築用パネルの前面部より、壁下地よりになり前面部に釘止めすることなくなり、
イ．釘が目立ち美観を損なうことが無くなる。
【００３８】
Ｂ．壁下地からの建築用パネルの溝部の底面と、壁下地からほぼ同じ厚さ方向の距離を持つ接続面を持つ建築用部材と、その接続面に重なる接続機能を設けた建築用部材からなる建築用部材とする事により、
ａ．建築用パネルの溝部の底部が狭い場合でも接続可能になり、
イ．接続の自由度が向上する。
【００３９】
Ｃ．建築用パネルの溝部を切断して、切り残した溝部の底面を接続面とする建築用部材とする事により、
ａ．建築用パネルを、その幅までの広幅の建築用部材とする事が可能になり、
イ．建築用部材の種類を削減できる。
【００４０】
Ｄ．壁下地からの、前記の建築用パネルの前面部と、壁下地からほぼ同じ厚さ方向の距離を持つ平坦部と、前記の接続面に重なる接続機能とを持つ建築用部材とする事により、
ａ．建築用パネルの前面基部と同様の意匠が強調されて、
イ．意匠性が向上し、
ｂ．長手方向の強度が向上し、
イ．取り扱い時の折れ曲がりが防止できて、
ロ．施工性が向上する。
【００４１】
Ｅ．この発明による、建築用部材を使用することにより、
ａ．金属板を成形して、平坦な前面部と溝部とを交互に複数形成する長尺の建築用パネルを、壁面の幅方向において統一性のある意匠とすることが可能になり、
イ．意匠性が向上し、
ロ．美観が向上する。
【図面の簡単な説明】
【図１】実施例１の建築用部材の壁面施工状態を示す一部省略斜視図
【図２】実施例１の建築用部材の壁面施工状態を示す一部省略端面図
【図３】実施例１及び実施例２の建築用パネルの一部省略斜視図
【図４】実施例１及び実施例２の建築用パネルの一部省略斜視図
【図５】実施例１の建築用部材の一部省略斜視図
【図６】実施例１の建築用部材の一部省略斜視図
【図７】実施例１の建築用部材の一部省略斜視図
【図８】実施例１及び実施例２の建築用パネルの施工状態を示す一部省略端面図
【図９】実施例２の建築用部材の壁面施工状態を示す一部省略斜視図
【図１０】実施例２の建築用部材の壁面施工状態を示す一部省略端面図
【図１１】実施例２の建築用部材の一部省略斜視図
【図１２】実施例２の建築用部材の一部省略斜視図
【図１３】実施例３の建築用部材の壁面施工状態を示す一部省略斜視図
【図１４】実施例３の建築用部材の壁面施工状態を示す一部省略端面図
【図１５】実施例３及び実施例４の建築用パネルの一部省略斜視図
【図１６】実施例３及び実施例４の建築用パネルの一部省略斜視図
【図１７】実施例３の建築用部材の一部省略斜視図
【図１８】実施例３の建築用部材の一部省略斜視図
【図１９】実施例３及び実施例４の建築用パネルの施工状態を示す一部省略端面図
【図２０】実施例４の建築用部材の壁面施工状態を示す一部省略斜視図
【図２１】実施例４の建築用部材の壁面施工状態を示す一部省略端面図
【図２２】実施例４の建築用部材の一部省略斜視図
【図２３】実施例５の建築用部材の壁面施工状態を示す一部省略斜視図
【図２４】実施例５の建築用部材の壁面施工状態を示す一部省略端面図
【図２５】実施例５の建築用パネルの一部省略斜視図
【図２６】実施例５の建築用パネルの一部省略斜視図
【図２７】実施例５の建築用部材の一部省略斜視図
【図２８】実施例５の建築用部材の一部省略斜視図
【図２９】実施例５の建築用部材の一部省略斜視図
【図３０】実施例５の建築用部材の一部省略斜視図
【図３１】実施例５の建築用パネルの施工状態を示す一部省略端面図
【符号の説明】
１  建築用パネル
２  隅角部材
３  調整部材
４  スタート材
５  金属板
６  発泡合成樹脂
７  裏面紙
８  壁下地
９  釘
【図１】
2004316401.tif 000003
【図２】
2004316401.tif 000004
【図３】
2004316401.tif 000005
【図４】
2004316401.tif 000006
【図５】
2004316401.tif 000007
【図６】
2004316401.tif 000008
【図７】
2004316401.tif 000009
【図８】
2004316401.tif 000010
【図９】
2004316401.tif 000011
【図１０】
2004316401.tif 000012
【図１１】
2004316401.tif 000013
【図１２】
2004316401.tif 000014
【図１３】
2004316401.tif 000015
【図１４】
2004316401.tif 000016
【図１５】
2004316401.tif 000017
【図１６】
2004316401.tif 000018
【図１７】
2004316401.tif 000019
【図１８】
2004316401.tif 000020
【図１９】
2004316401.tif 000021
【図２０】
2004316401.tif 000022
【図２１】
2004316401.tif 000023
【図２２】
2004316401.tif 000024
【図２３】
2004316401.tif 000025
【図２４】
2004316401.tif 000026
【図２５】
2004316401.tif 000027
【図２６】
2004316401.tif 000028
【図２７】
2004316401.tif 000029
【図２８】
2004316401.tif 000030
【図２９】
2004316401.tif 000031
【図３０】
2004316401.tif 000032
【図３１】
2004316401.tif 000033